(57)【特許請求の範囲】
【請求項１】
帯状の台紙に一定間隔をおいて仮着されたラベルが表巻きになるようにロール状に巻回された表巻きロール紙において、
先端ラベルが仮着されている領域の台紙の幅方向にパーシャルカットラインが形成されていることを特徴とする表巻きロール紙。
【請求項２】
前記パーシャルカットラインの両端部にカット部が形成されていることを特徴とする請求項１に記載の表巻きロール紙。
【請求項３】
前記先端ラベルの前縁部の形状が凹凸に形成されていることを特徴とする請求項１または２に記載の表巻きロール紙。
【請求項４】
帯状の台紙に一定間隔をおいて仮着されたラベルが表巻きになるようにロール状に巻回された表巻きロール紙の端止め方法において、
先端ラベルが仮着されている領域の台紙の幅方向に形成されたパーシャルカットラインから先端台紙を剥離させてから、先端ラベルを一周内側のラベルに仮着させることを特徴とする表巻きロール紙の端止め方法。
【発明の詳細な説明】
【技術分野】
【０００１】
本発明は、帯状の台紙に一定間隔をおいて仮着されたラベルが表巻きになるようにロール状に巻回された表巻きロール紙であって、先端ラベルが端止めし易いような表巻きロール紙および表巻きロール紙の端止め方法に関するものである。
【背景技術】
【０００２】
通常、ラベルプリンターに装填されて印字されるロール紙は、原反と称される最大幅の原材料から所定の幅にカットされながら所定の長さに巻き取られる小巻工程を経て製造される。そして、巻回されたロール紙の先端部を一周内側のロール紙に粘着性のある固定シールで端止めされている。また、ロール紙をロール状に巻回する方法として、ラベルが台紙の表側（外側）を向くように仮着された状態で巻回された表巻きと、ラベルが台紙の裏側（内側）に隠れるように仮着された状態で巻回された表巻きとがある。
【０００３】
たとえば、裏巻きロール状印刷用紙の仮止め方法にかかるもので、裏巻きロール状印刷用紙の終端部のラベル片の背面側に位置する台紙を仮止め用シールに仮止めしたものが知られている（特許文献１の従来例参照）。また、ロール状記録紙が巻き解けないように、ロール状記録紙の先端部を１周内側の部分に固定する固定シールが知られている（特許文献２の従来例参照）。
【先行技術文献】
【特許文献】
【０００４】
【特許文献１】特開２００７−２１７１４９号公報
【特許文献２】特開２００４−０８３２０４号公報
【発明の概要】
【発明が解決しようとする課題】
【０００５】
しかしながら、特許文献１の裏巻きロール状印刷用紙およびその仮止め方法は、仮止めシールを別途用意しなければならなかった。また、特許文献２のロール状記録紙は、巻き解けないように固定する固定シールを別途用意しなければならなかった。
【０００６】
本発明は、上記問題に鑑みてなされたものであって、表巻きロール紙の先端部が巻き解けないように仮止めシールなどを必要としない表巻きロール紙および表巻きロール紙の端止め方法を提供することを目的とする。
【課題を解決するための手段】
【０００７】
上記の課題を解決するために請求項１に記載の表巻きロール紙は、帯状の台紙に一定間隔をおいて仮着されたラベルが表巻きになるようにロール状に巻回された表巻きロール紙において、先端ラベルが仮着されている領域の台紙の幅方向にパーシャルカットラインが形成されているものである。
【０００８】
また、上記の課題を解決するために請求項２に記載の表巻きロール紙は、前記パーシャルカットラインの両端部にカット部が形成されているものである。
【０００９】
また、上記の課題を解決するために請求項３に記載の表巻きロール紙は、前記先端ラベルの前縁部の形状が凹凸に形成されているものである。
【００１０】
また、上記の課題を解決するために請求項４に記載の表巻きロール紙の端止め方法は、帯状の台紙に一定間隔をおいて仮着されたラベルが表巻きになるようにロール状に巻回された表巻きロール紙の端止め方法において、先端ラベルが仮着されている領域の台紙の幅方向に形成されたパーシャルカットラインから先端台紙を剥離させてから、先端ラベルを一周内側のラベルに仮着させていることである。
【発明の効果】
【００１１】
請求項１に記載の表巻きロール紙は、帯状の台紙に一定間隔をおいて仮着されたラベルが表巻きになるようにロール状に巻回された表巻きロール紙において、先端ラベルが仮着されている領域の台紙の幅方向にパーシャルカットラインが形成されているので、パーシャルカットラインから先端台紙を剥離させることによって、先端ラベルを１周内部のラベルに仮着させるだけで容易に端止めすることができ、また、仮止めシールなどで別途仮着させる必要性がなくなる。
【００１２】
また、請求項２に記載の表巻きロール紙は、前記パーシャルカットラインの両端部にカット部が形成されているので、パーシャルカットラインから先端台紙を容易に剥離させることができる。
【００１３】
また、請求項３に記載の表巻きロール紙は、前記先端ラベルの前縁部の形状が凹凸に形成されているので、端止めした後、ラベルプリンターなどに装填する時に巻き解け易い。
【００１４】
また、請求項４に記載の表巻きロール紙の端止め方法は、帯状の台紙に一定間隔をおいて仮着されたラベルが表巻きになるようにロール状に巻回された表巻きロール紙の端止め方法において、先端ラベルが仮着とくされている領域の台紙の幅方向に形成されたパーシャルカットラインから先端台紙を剥離させてから、先端ラベルを一周内側のラベルに仮着させているので、仮止めシールなどで別途仮着させる必要がなく、また、ラベルプリンターなどに装填する時に巻き解け易い。
【図面の簡単な説明】
【００１５】
【図１】本発明に係る表巻きロール紙を斜目下から見た斜視図である。
【図２】本発明に係る他の表巻きロール紙を斜目下から見た斜視図である。
【図３】本発明に係る他の表巻きロール紙の端止め方法を斜目下から見た斜視図であって、（ａ）図は、表巻きロール紙から先端ラベルを巻き解いた状態の斜視図であり、（ｂ）図は、表巻きロール紙の先端台紙を剥離させた後の斜視図であり、（ｃ）図は、表巻きロール紙の先端ラベルを巻回させて１周内側のラベルに仮着させた状態の斜視図である。
【発明を実施するための形態】
【００１６】
以下の実施例にて、本発明に係る表巻きロール紙および表巻きロール紙の端止め方法について詳述する。なお、本発明については、実施例の説明だけに限定されるものでなく、本発明の要旨を逸脱しない範囲で適宜変更可能である。
【実施例】
【００１７】
本実施例では、帯状の台紙に一定間隔をおいて仮着されたラベルが表巻きになるようにロール状に巻回された表巻きロール紙および表巻きロール紙の端止め方法について説明する。図１は、本発明に係る表巻きロール紙を斜目下から見た斜視図である。図１において、表巻きロール紙１は、帯状の台紙３に一定間隔をおいてラベル２が表巻きになるように仮着された状態で巻回されている。
【００１８】
先端ラベル２が仮着されている領域の一部の台紙３の幅方向に台紙３の一部を残して切断する部分カットされた、いわゆるパーシャルカットライン４が形成されている。ここでは、先端ラベル２が仮着されている領域の略中央部にパーシャルカットライン４が形成されているが、先端ラベル２が仮着されている領域内であれば適宜パーシャルカットライン４を形成することができる。ここでは、パーシャルカットライン４は、先端ラベル２だけに形成された場合について示されているが、一定間隔を持って台紙３に形成することもできる。また、パーシャルカットライン４は、ミシン目などにすることもできる。
【００１９】
パーシャルカットライン４の両端部４ａ，４ａにカット部が形成されることが望ましい。そうすることによって、両端部４ａ、４ａのどちらか一方の端部４ａから先端台紙３ａを引き千切るようにすると剥離し易くなるからである。
【００２０】
表巻きロール紙１の他の実施例について説明する。図１と同じ箇所については、説明を省略する。図２は、本発明に係る他の表巻きロール紙を斜目下から見た斜視図である。図２において、先端ラベル２の前縁部２ｂが複数の山形形状に形成されている。前縁部２ｂを山形形状にすることにより、後述する端止めされた表巻きロール紙１を再度巻き解け易くなっている。前縁部２ｂの形状は、任意の凹凸状の形状にすることもできる。もちろん、図１のように先端ラベル２の前縁部２ａを矩形にすることもできる。
【００２１】
次に、他の表巻きロール紙の場合について、その端止め方法を詳述する。図３は、本発明に係る他の表巻きロール紙の端止め方法を斜目下から見た斜視図であって、（ａ）図は、表巻きロール紙から先端ラベルを巻き解いた状態の斜視図であり、（ｂ）図は、表巻きロール紙の先端台紙を剥離させた後の斜視図であり、（ｃ）図は、表巻きロール紙の先端ラベルを巻回させて１周内側のラベルに仮着させた状態の斜視図である。
【００２２】
図３の（ａ）において、パーシャルカットライン４のどちらか一方の端部４ａからパーシャルカットライン４に沿って先端台紙３ａを引き千切ると先端台紙３ａが剥離されて、図３の（ｂ）図のように先端ラベル２の前縁部２ｂの粘着剤層が形成された裏面が一部露出する。図３の（ｂ）図の状態から先端ラベル２を巻回させて１周内側のラベル２に粘着剤層が形成された裏面を仮着させると図３の（ｃ）図の状態になり、表巻きロール紙１の端止めが容易できる。また、端止めされた表巻きロール紙１をラベルプリンターなどに装填する時は、端止め部分が山形形状になっているので先端ラベル２の前縁部２ｂから巻き解き易くなる。
【００２３】
図３では、先端ラベル２の前縁部２ｂが山形形状に形成された場合について、説明してあるが、図１のように先端ラベル２の前縁部２ａが矩形であっても良い。また、前縁部２ｂの形状は、任意の凹凸状の形状にすることもできる。
【産業上の利用可能性】
【００２４】
表巻きのロール紙の端止めが容易にできるとともに容易に端止めを解き解すことができるので、ラベルプリンターなどに簡単に装填することができる。したがって、各種のラベルプリンターなどに装填される表巻きのロール紙として広く利用されている。
【符号の説明】
【００２５】
１    表巻きロール紙
２    ラベル
２ａ、２ｂ    前縁部
３    台紙
３ａ    先端台紙
４    パーシャルカットライン
４ａ、４ａ    両端部
【要約】
【課題】表巻きロール紙の先端部が巻き解けないように仮止めシールなどを必要としない表巻きロール紙および表巻きロール紙の端止め方法を提供することを目的とするものである。
【解決手段】表巻きロール紙１は、帯状の台紙３に一定間隔をおいてラベル２が表巻きになるように仮着された状態で巻回されている。パーシャルカットライン４のどちらか一方の端部４ａから先端台紙３ａを引き千切ると先端台紙３ａが剥離されて、先端ラベル２の前縁部２ｂの粘着剤層が形成された裏面が一部露出する。先端ラベル２を巻回させて１周内側のラベル２に粘着剤層が形成された裏面を仮着させると表巻きロール紙の端止めが容易にできる。
【選択図】図３【図１】
0005564729.tif 000002
【図２】
0005564729.tif 000003
【図３】
0005564729.tif 000004